(57)【要約】  ボディ及びこのボディに結合された一またはそれ以上の衣服要素を有する衣服が提供される。ボディは、第一部分と第二部分を有し、第一部分は第二部分と一体的に編んで作られている。第一部分は第一のニット構造を有し、第二部分は第二のニット構造を有している。第一のニット構造は、常に各編み針で形成される一つのステッチを有するニットを有し、それにより、生地のテクニカルな表面の上に同一方向にステッチが噛み合わされた網目が形成され、生地のテクニカルな裏面の上に一連のループが形成される。第二のニット構造は、プレイン・ニット・ループ、ステッチ無しのヘルド・ループ、及びタック・ループの任意の組み合わせを使用するニットを含む。【選択図】      図１【特許請求の範囲】
【請求項１】
第一部分と第二部分を有するボディを有する衣服であって、
第一部分は第二部分と一体的に編んで作られ、前記第一部分は第一のニット構造を有し、前記第二部分は第二のニット構造を有し、
前記ボディに結合された一またはそれ以上の衣服の要素を有する、
ことを特徴とする衣服。
【請求項２】
下記特徴を有する請求項１に記載の衣服：
前記衣服は、肌着、外側の衣服、及びスポーツ・ウエアからなるグループから選択される衣服である。
【請求項３】
下記特徴を有する請求項１に記載の衣服： 
前記衣服は、輪編みの衣服である。
【請求項４】
下記特徴を有する請求項１に記載の衣服：
前記衣服は、平編みの衣服である。
【請求項５】
下記特徴を有する請求項１に記載の衣服： 
前記第一のニット構造は、プレイン・ダブル・ニット、プレイン・シングル・ジャージー・ニット、及びそれらの任意の組み合わせからなるグループから選択されるニットを有している。
【請求項６】
下記特徴を有する請求項１に記載の衣服：
前記第二のニット構造は、スペーサー・ニット、リブ・ニット、ポインテール・ニット、メッシュ・ニット、シアー・ニット、キルト・ニット、アイレット・ニットまたはオープン・ニット、及びそれらの任意の組み合わせからなるグループから選択されるニットを有している。
【請求項７】
下記特徴を有する請求項１に記載の衣服：
前記第一部分及び第二部分は、当該衣服に継ぎ目無しで模様を付ける効果を与えるように、配置されている。
【請求項８】
下記特徴を有する請求項１に記載の衣服： 
前記一またはそれ以上の衣服の要素は、前記ボディと一体的に編んで作られている。
【請求項９】
下記特徴を有する請求項１に記載の衣服： 
前記一またはそれ以上の衣服の要素は、前記ボディに継ぎ目を介して取り付けられている。
【請求項１０】
下記特徴を有する請求項９に記載の衣服：
前記継ぎ目は、縫合された継ぎ目、融着された継ぎ目、接着された継ぎ目からなるグループから選択される。
【請求項１１】
下記特徴を有する請求項１に記載の衣服： 
前記ボディは長さ及び内径を有し、
前記内径は前記長さに沿って変化し、それによって、前記ボディが一またはそれ以上の形状が付けられた部分を有するように構成されている。
【請求項１２】
複数の第一部分と複数の第二部分とを有する衣服であって：
各第一部分は、第一のニット構造を有し、前記第一のニット構造は、プレイン・ダブル・ニット、プレイン・シングル・ジャージー・ニットからなるグループから選択され；
各第二部分は、第二のニット構造を有し、前記第二のニット構造は、スペーサー・ニット、リブ・ニット、ポインテール・ニット、メッシュ・ニット、シアー・ニット、キルト・ニット、及びアイレット・ニットまたはオープン・ニットからなるグループから選択され；
前記複数の第一部分と第二部分は、一体的に互いに編んで作られていることを特徴とする衣服。
【請求項１３】
下記特徴を有する請求項１２に記載の衣服：
前記衣服は、肌着、外側の衣服、及びスポーツ・ウエアからなるグループから選択される衣服である。
【請求項１４】
下記特徴を有する請求項１２に記載の衣服：
前記衣服は、輪編みの衣服または平編みの衣服である。
【請求項１５】
下記特徴を有する請求項１２に記載の衣服：
前記複数の第一部分と第二部分は、衣服に継ぎ目無しで模様を付ける効果を与えるように配置されている。
【請求項１６】
下記特徴を有する請求項１２に記載の衣服：
更に、一またはそれ以上の衣服の要素を有している。
【請求項１７】
下記特徴を有する請求項１６に記載の衣服：
前記一またはそれ以上の衣服の要素は、衣服と一体的に編んで作られている。
【請求項１８】
下記特徴を有する請求項１６に記載の衣服：
前記一またはそれ以上の衣服の要素は、継ぎ目を介して取り付けられている。
【請求項１９】
下記特徴を有する請求項１８に記載の衣服： 
前記継ぎ目は、縫合された継ぎ目、融着された継ぎ目、接着された継ぎ目、及びそれらの任意の組み合わせからなるグループから選択される。
【請求項２０】
下記特徴を有する請求項１２に記載の衣服： 
更に衣服の長さ及び衣服の内側寸法を有し、
前記衣服の内側寸法は、前記衣服の長さに沿って変化し、それによって、当該衣服が一またはそれ以上の形状が付けられた部分を有するように構成されている。
【発明の詳細な説明】
【技術分野】
【０００１】
この出願は、米国仮出願第 60/513,815 号（出願日２００３年１０月２３日）の利益を主張し、その内容は、リファレンスとしてここに組み込まれる。
【背景技術】
【０００２】
本発明は、継ぎ目無しのニットの衣服に係る。特に、本発明は、一またはそれ以上の第一のニット構造と一またはそれ以上の第二のニット構造を有し、第一のニット構造と第二のニット構造が、継ぎ目無しで一体的に結合されたニットの衣服に係る。
【０００３】
継ぎ目無しのニットの衣服は、平編み機および／または輪編み機で編むことができる。そのような編み機は、例えば、モナーク・ニッティリング・マシーナリー社（the Monarch Knitting Machinery Corporation；ニューヨーク州、グレンデイル）、サントニ社（Santoni S.p.A.；イタリ−、ブレシア）、島精機製作所（Shima Seiki Manufacturing Limited；日本、和歌山）などから市販されている。
【０００４】
一部の編み機は、第一のニット構造のみで編むことができる。その第一のニット構造は、例えば（但し、これらに限定されないが）、プレイン・ダブル・ニット・ステッチまたはプレイン・シングル・ジャージー・ニット・ステッチなどである。他の編み機は、第二のニット構造を作り出すことができる。その第二のニット構造は、例えば、スペーサー・ニット・ステッチ、リブ・ニット・ステッチ、ポインテール・ニット・ステッチ、メッシュ・ニット・ステッチ、シアー・ニット・ステッチ、キルト・ニット・ステッチなどである。
【０００５】
第一のニット構造からなる複数の部分を有する衣服を製作するため、および／または、第一ニット構造と第二のニット構造を結合するため、二またはそれ以上の編まれた生地が必要になる。このとき、所望の生地が、継ぎ目（例えば、縫合、融着、及び接着）を介してつなげられる。
【０００６】
多くの衣服において、継ぎ目及び不連続部は、身体的および／または美的に不快なものとなることがある。例えば、多くの外側の衣服及びスポーツ・ウエアにおいて、継ぎ目は、引っ掛かりや圧迫部となり、そのために、身体的な不快さの原因となることがある。それに加えて、肌着（例えば、ブラジャー、パンティ、キャミソールなど）の継ぎ目は、しばしば、外側の衣服の上から見えて、美的に不快になることがある。
【０００７】
従って、継ぎ目無しで一体化された第一ニット構造及び第二のニット構造を有する衣服が求められている。
【発明の開示】
【発明が解決しようとする課題】
【０００８】
本発明の目的は、継ぎ目無しのニットの衣服を提供することにある。
【０００９】
本発明の他の目的は、第一のニット構造で編まれた第一部分と第二のニット構造で編まれた第二部分を有し、第二部分が第一部分に、継ぎ目無しで編んでつなげられた衣服を提供することにある。
【００１０】
更に、本発明の他の目的は、他のニット構造に継ぎ目無しで編んでつなげられたダブル及びシングル・ジャージー・ニット構造の組み合わせを有する衣服を提供することにある。当該他のニット構造は、例えば（但し、これらに限定されないが）、三次元・ニット構造、シアー・ニット構造、装飾的シングル・ジャージー・ニット構造、または、それらの任意の組み合わせである。
【００１１】
本発明の目的はまた、複数の部分を有するニットの衣服であって、各部分がそれぞれ異なるタイプの第一のニット構造および／または第二のニット構造を有し、それらが継ぎ目無しで編んで互いにつなげられた衣服を提供することにある。
【００１２】
更に、本発明の目的はまた、異なるニット構造を有する部分を継ぎ目無しで一体化することにより作られる模様付けの効果を有するニットの衣服を提供することによる。
【課題を解決するための手段】
【００１３】
本発明の上記の及びその他の特徴及び優位性について、当業者は、以下の詳細な説明及び図面から、評価し且つ理解できるであろう。
【発明を実施するための最良の形態】
【００１４】
次に、図、特に図１及び２を参照しながら本発明に基づく衣服（一般的に参照符号１０で表わされている）について説明する。衣服１０は、キャミソールであって、ニット製のボディ１２、一対の肩紐１４（好ましくは、ボディ１２の上側のエッジに取り付けられている）、および／または縁かがリ（welt）１６（好ましくは、ボディの下側のエッジに沿って取り付けられている）を有している。一つの好ましい実施形態において、肩紐１４は、ボディ１２に継ぎ目１８を介して結合される。同様に、縁かがリ１６も、ボディ１２に継ぎ目１８を介して結合することが可能である。継ぎ目１８は、縫合、融着、接着、またはそれらの任意の組み合わせにより形成することが可能である。
【００１５】
その代わりに、肩紐１４および／または縁かがリ１６を、ボディ１２の一部として、一体的に編んで作ることが可能である。従って、衣服１０は、一つまたはそれ以上の衣服の要素（例えば、肩紐１４、縁かがリ１６など）を有することが可能であり、それらは、ボディ１２と一体的に編んで作られ、および／または、ボディに継ぎ目１８を介して結合される。
【００１６】
ボディ１２は、一般的に筒状の形状を有し、それは、一またはそれ以上の第一部分２０及び一またはそれ以上の第二部分２２で規定される。ボディ１２は、第一部分２０と第二部分２２が一体的に互いに編んで作られるように、ニット・プロセスを用いて編んで作られている。このようにして、ボディ１２には、第一部分２０と第二部分２２を互いにつなげるための継ぎ目がない。例えば、ボディ１２は、輪編み（circular knitting）即ち横編み（weft knitting）プロセス、平編み（flat knitting）プロセスなどを用いて、編むことが可能である。
【００１７】
第一部分２０は、第一のニット構造で編まれ、これに対して、第二部分２２は、第二のニット構造で編まれている。ここで使用するとき、“第一のニット構造”と言う言葉は、常に各編み針で形成される一つのステッチを有するニットを意味しており、それによって、ステッチが噛み合わされた網目が、生地のテクニカルな表面（technical face）の上に同一方向に形成され、一連のループが生地のテクニカルな裏面（technical back）の上に形成されるようになっている。例えば、第一のニット構造は、以下のニットの内のいずれか一つを有している：プレイン・ダブル・ニット、プレイン・シングル・ジャージー・ニット、またはそれらの任意の組み合わせ。
【００１８】
“第二のニット構造”言う言葉は、プレイン・ニッテド・ループ（plain knitted loop）、ステッチのないヘルド・ループ（held loop）、及びタック・ループ（tuck loop）の任意の組み合わせを使用するニットを意味している。この第二のニット構造は、一組の編み針から他の一組の編み針へ移行する上記のループのいずれかを有することが可能であり、そして、各組の編み針でそれぞれニット・ステッチされたループ、タック・ステッチされたループ、及びミス・ステッチされた（miss stitched：針抜き編み）ループの内のいずれかを有することが可能である。例えば、この第二のニット構造は、以下のニットのいずれか一つを有している：スペーサー・ニット（spacer knit）、リブ・ニット（rib knit）、ポインテール・ニット（pointelle knit）、メッシュ・ニット、シアー・ニット（sheer knit）、キルト・ニット（quilted knit）、アイレット・ニット（eyelet knit）またはオープン・ニット（open knit）、またはそれらの組み合わせ。
【００１９】
図１に示された実施形態において、第一部分２０はプレイン・シングル・ジャージー・ニット２４を有し、第二部分２２はシアー・ニット２６を有し、このシアー・ニットは、透き通ったあるいは不透明な美的性質をもたらし、または第二部分に目を向けさせる。例えば、シアー・ニット２６は、二組の編み針で編むことが可能であり、このとき、一組の編み針は、前面側のレイヤを編み、第二の組の編み針は、背面側のレイヤを編む。前面側のレイヤは、そこに形成されたレースまたは刺繍されたパターンを有することも可能である。
【００２０】
第一部分２０と第二部分２２を、衣服１０に継ぎ目無しで模様を付ける効果を与えるように、ボディ１２の中に配置することも可能である。例えば、図１及び２には、第一部分２０と第二部分２２が例として示されており、そこでは、それらが、曲線をなして伸び、ボディ１２を縦に横切っている。即ち、第一部分２０と第二部分２２は、ボディ１２の下側のエッジから上側のエッジに、曲線をなして伸びている。もちろん、第一部分２０と第二部分２２が、例えば、直線形状および／または曲線以外と直線形状の組み合わせなどのような、曲線以外の形状を有することも、本発明により意図されている。
【００２１】
本発明の一部実施形態では、衣服１０は、形状が付けられたまたは体にフィットするように作られた衣服とすることが可能である。例えば、ボディ１２は、肩紐１４から縁かがリ１６までで測られる長さと、内径（図示せず）を有することができる。衣服１０の形状が付けられたアスペクトは、ボディ１２の長さに沿って、内径を変化させることにより、与えられる。図１及び２の中に示された実施形態において、ボディ１２は、中央の形状が付けられた部分２５を有し、その部分は、ボディの他の部分と比べて細くなっている。例えば、ボディ１２は、最大の内径及び最小の内径を有しており、肩紐１４及び縁かがリ１６がボディは最大の内径の部分に取り付けられ、中央の形状が付けられた部分２５に最大の内径の部分がある。もちろん、形状が付けられた部分２５がボディ１２の他の部分よりも太く、および／または、形状が付けられた部分が、ボディの中央以外の部分に配置されることも、本発明により意図されている。
【００２２】
図１及び２に例として示された衣服１０は、キャミソールであって、シングル・ジャージー・ニット構造２４の組み合わせを有しており、それらは、衣服に継ぎ目無しで模様を付ける効果を与えるように、シアー・ニット構造２６に継ぎ目無しで編んでつなげられている。
【００２３】
また本発明により意図されているところによれば、衣服１０は、任意の衣服であって良く、例えば（但し、これらに限定されないが）、図３及び４に示されているようなブリーフ型パンティ２８、図５及び６に示されているようなストリング型パンティ３０、図７に示されているようなブラジャー３２、及び、他の肌着、さらには、外側の衣服、スポーツ・ウエア、その他であって良い。
【００２４】
図３及び４に示されているようなブリーフ型パンティ２８及び図５及び６に示されているようなストリング型パンティ３０は、それぞれ、シングル・ジャージー・ニット構造２４の組み合わせを有し、それらは、衣服に継ぎ目無しで模様を付ける効果を与えるように、シアー・ニット構造２６に継ぎ目無しで編んでつなげられている。図７のブラジャー３２は、シングル・ジャージー・ニット構造２４の組み合わせを有し、それらは、衣服に継ぎ目無しで模様を付ける効果を与えるように、シアー・ニット構造２６及びリブ・ニット構造２７に継ぎ目無しで編んでつなげられている。
【００２５】
ここでもまた、第一部分２０および／または第二部分２２が、図７のブラジャー３２の場合のように、ボディ１２を横切って、水平方向および／または斜め方向に伸びることも本発明により意図されている。更に、図５のパンティ３０の場合のように、第一部分２０が第二部分２２を取り囲むことも、本発明により意図されている。
【００２６】
次に、図８及び９には、キャミソール３４の例として示された衣服の第二の実施形態が示されている。キャミソール３４は、ニット製のボディ３６及び一対の肩紐３８を有している。ボディ３６は、複数の第二部分４０を有し、それぞれの部分は、異なる第二のニット構造を有している。好ましくは、ボディ３６は、これらの第二部分４０が継ぎ目無しで即ち一体的に編んで互いにつなげられるように、編んで作られている。このようにして、ボディ３６には、複数の第二部分４０を互いにつなげるための継ぎ目がない。例えば、ボディ３６は、輪編み即ち横編みプロセス、平編みプロセスなどで、編むことが可能である。
【００２７】
図８及び９の実施形態に示されているように、ボディ３６は４つの第二部分４０を有しており、そのそれぞれが異なる第二のニット構造を有している。ここで、ボディ３６は、ポインテール・ニットを有する第二部分４２、メッシュ・ニットを有する第二部分４４、アイレットまたはオープン・ニットを有する第二部分４６、リブ・ニットを有する第二部分４８を有している。この様にして、キャミソール３４は、ポインテール・ニットの部分４２、メッシュ・ニットの部分４４、オープン・ニットの部分４６、及びリブ・ニットの部分４８が、継ぎ目無しで編んで互いにつなげられた組み合わせを有している。
【００２８】
ボディ３６は、中央の形状が付けられた部分４５を有することが可能である。ここで、ボディ３６は、上側及び下側の領域に最大の内径を、中央の形状が付けられた部分４５に最小の内径を有している。
【００２９】
好ましくは、キャミソール３４に模様付けの効果を与えるために、第二部分４０を、ボディ３６の中に選択および／または配置することが可能である。例えば、ポインテール・ニットの部分４２が、ボディ３６の上側及び下側のエッジに沿って示されている。オープン・ニットの部分４６は、ボディ３６の中で、一対のブレスト・カップ５０、フロント・パネル５２、リア・パネル５４、及び一対のサイド部５６を形成している。メッシュ・ニットの部分４４は、フロント・パネル５２及びリア・パネル５４の中に示されている。これに対して、リブ・ニットの部分４８は、サイド部５６及びブレスト・カップ５０の中に示されている。
【００３０】
図８及び９から分かるように、第二のニット構造のタイプ及びボディ３６内での各部分４２，４４，４６，４８の位置は、キャミソール３４に継ぎ目無しで模様を付ける効果を与えるために、使用される。
【００３１】
ここでもまた、図８及び９は、衣服をキャミソール３４として描いているが、もちろん、本発明により意図されているところによれば、衣服はどの衣服でもよく、例えば（但し、これらに限定されないが）、図１０に示されているようなショート型パンティ５８、図１１に示されているようなブリーフ型パンティ６０、図１２に示されているようなブラジャー６２、及びその他の肌着であり、更には、外側の衣服、スポーツ・ウエア、その他である。
【００３２】
ここで認識すべきことは、図８及び９において、衣服３４が４つの第二部分４０（例えば、第二のニット構造を有する４つの部分）を有している形態は、単に例として示されていることである。もちろん、本発明により意図されているところによれば、衣服３４は所望の数の第二部分４０を有していても良く、例えば（但し、これらに限定されないが）、図１１及び１２に示されているような２つの第二部分、図１０に示されているような３つの第二部分、及び４つ以上の第二部分を有していても良い。一部の実施形態において、第一部分４０および／または第二部分４２は、図１２のブレスト・カップ領域に見られるように、衣服３４の成形可能な部分を形成することも可能である。
【００３３】
次に図１３及び１４には、衣服の第二の実施形態が、キャミソール６４として示されている。キャミソール６４は、ニット製のボディ６６、一対の肩紐６８、及び縁かがリ７０を有している。
【００３４】
ボディ６６は、一またはそれ以上の第一部分７２及び一またはそれ以上の第二部分７４を有している。ここでもまた、ボディ６６は、第一部分７２と第二部分７４が、一体的に編んで互いにつなげられるように、編んで作られている。このようにして、ボディ６６には、第一部分７２と第二部分７４を互いに結合するための継ぎ目がない。第一部分７２は、同一のまたは異なる第一のニット構造で、編むことが可能である。同様に、第二部分７４は、同一のまたは異なる第二のニット構造で、編むことが可能である。
【００３５】
ここに示されている実施形態では、第一部分７２は、プレイン・シングル・ジャージー・ニット・ステッチ７６を有し、これに対して、第二部分７４は、複数の異なる第二のニット構造を有している。例えば、第二部分７４は、一またはそれ以上のキルト・ニットの部分７８、及び一またはそれ以上のシアー・ニットの部分８０を有することができる。キルト・ニットの部分７８、ツー・ヤーン・キルト（例えば、フィラー無し）および／またはスリー・ヤーン・キルト（例えば、フィラー）にすることが可能である。更に、キルト・ニットの部分７８は、キルト領域８２、キルトされたライン８４、またはそれらの任意の組み合わせを形成することが可能である。
【００３６】
好ましくは、第一部分７２と第二部分７４は、キャミソール６４に模様付けの効果を与えるように、ボディ６６の中に選択または配置することが可能である。特に、ボディ６６内での第一部分７２と第二部分７４のステッチのタイプ及び位置は、キャミソール６４に継ぎ目無しで模様を付ける効果を与えるように使用することが可能である。
【００３７】
ここでもまた、図８及び９は、衣服をキャミソール６４として示しているが、本発明により意図されているところによれば、衣服はいかなる衣服でも良く、例えば（但し、これらに限定されないが）、図１５及び１６に示されているようなストリング型パンティ８６、図１７に示されているようなブリーフ型パンティ８８、または図１８に示されているようなブラジャー９０。
【００３８】
次に、図１９には、本発明に基づく衣服の第三の実施形態が、ブラジャー９２として示されている。ブラジャー９２は、ニット製のボディ９４、一対の 肩紐９６、及び縁かがリ９８を有している。
【００３９】
ボディ９４は、一またはそれ以上の第一部分１００及び一またはそれ以上の第二部分１０２を有している。ここでもまた、ボディ９４は、第一部分１００と第二部分１０２が、一体的に編んで互いにつなげられるように、編んで作られている。このようにして、ボディ９４には、第一部分１００と第二部分１０２を互いに結合するための継ぎ目がない。
【００４０】
第一部分１００は、第一のニット構造で編まれ、これに対して、第二部分１０２は、第二のニット構造で編まれている。この実施形態において、第一部分１００は、プレイン・シングル・ジャージー・ニットを有し、第二部分１０２は、スペーサー・ニット１０４を有している。スペーサー・ニット１０４は、二種類の異なる表側繊維を有し、それらは、ワープニット（経糸編み）構造のインナー・スペーサー・ヤーンに結合されている。このスペーサー・ヤーンは、設計された性質、例えば、厚さ、伸縮性、圧縮性、物理的なスペース及びチャネル、またはそれらの任意の組み合わせなどに寄与している。表側繊維は、例えば次のような性質を与える：密度、撥水性、抗菌性、軟らかさ、通気性、紫外線または化学物質に対する抵抗性、難燃性、肌触り、またはそれらの任意の組み合わせ。スペーサー・ニット１０４は、厚くても薄くても良く、また、その厚さが幅方向に変化しても良い。
【００４１】
次に、図２０には、第二部分１０８に継ぎ目無しで一体的に結合された第一部分１０６のステッチ図の実施形態が示されている。第一部分１０６は、プレイン・シングル・ジャージー・ニットで編まれ、これに対して、第二部分１０８は、リブ・ニットで編まれている。
【００４２】
次に、図２１及び２２には、本発明に基づく衣服の他の実施形態が、継ぎ目無しのスポーツ・シャツ１１０として示されている。シャツ１１０は、平編みプロセスを用いて編まれている。このプロセスは、例えば、島精機製作所（Shima Seiki Manufacturing Limited；日本、和歌山）から市販されている編み機により実施可能である。
【００４３】
シャツ１１０は、複数の第一部分１２０と第二部分１２２を有し、それらは、継ぎ目無しで一体的に互いに結合された、ホール・ガーメント（衣服全体）を形成している。ここで、第一部分１２０は、第一のニット構造で編まれ、これに対して、第二部分１２２は、第二のニット構造で編まれている。それに加えて、第一部分１２０と第二部分１２２は、シャツ１１０に継ぎ目無しで模様を付ける効果を有することが可能である。
【００４４】
複数の第一部分１２０は、メイン・ボディ１２４、一対の アーム・バンド１２６、及びウエスト・バンド１２８を有している。メイン・ボディ１２４は、プレイン・シングル・ジャージー・ニット・ステッチで編まれ、シャツ１１０の腕及びトルソ部分を形成している。メイン・ボディ１２４は、プリーツ部分１３０を有することが可能であり、それにより、シャツ１１０のこの領域に更なる可動性及び適応性を与えることができる。アーム・バンド１２６及びウエスト・バンド１２８は、伸縮性のヤーンを有するプレイン・ダブル・ニット・ステッチで編まれ、それによって、アーム・バンド１２６とウエスト・バンドが、シャツ１１０を着用したときに、シャツ１１０を所望の位置に保つことを助ける。
【００４５】
第二部分１２２は、スペーサー・ニットで編まれ、シャツ１１０の肩部分を形成している。第二部分１２２のスペーサー・ニットは、シャツ１１０に暖かさ、風に対する保護および／または水に対する保護などの属性を与える。
【００４６】
ここに示された実施形態において、ウエスト・バンド１２８は、形が付けられたバンドとして示されている。このバンドは、米国出願第 10/404,918 （２００３年４月１日）に示されており、その内容はリファレンスとしてここに組み込まれる。また、実施形態では、メイン・ボディ１２４は、中央の形状が付けられた部分１２５を有している。ここで、メイン・ボディ１２４は、上側及び下側の領域に最大の内径を有し、中央の形状が付けられた部分１２５に最小の内径を有している。
【００４７】
次に、図２３及び２４には、本発明に基づく他の衣服の実施形態が、継ぎ目無しのレジャー・シャツとして示されている。シャツ１３０は、平編みプロセスを用いて編まれている。
【００４８】
シャツ１３０は、複数の第一部分１３２及び複数の第二部分１３４を有し、それらは、継ぎ目無しで一体的に互いに結合された、ホール・ガーメントを形成している。ここで、第一部分１３２は、第一のニット構造で編まれ、これに対して、第二部分１３４は、第二のニット構造で編まれている。それに加えて、第一部分１３２と第二部分１３４は、シャツ１３０に継ぎ目無しで模様を付ける効果を与えることができる。
【００４９】
複数の第一部分１３２は、一対のサイド領域１３６及び一対のカフバンド１３８を有している。サイド領域１３６は、プレイン・シングル・ジャージー・ニットで編まれている。サイド領域１３６は、一またはそれ以上のポケット部分１４０を有することが可能である。それに加えて、サイド領域１３６は、一またはそれ以上のプリーツ部分１４２を有することが可能であり、その部分が、シャツ１３０のこの領域に更なる可動性及び適応性を与える。カフバンド１３８は、伸縮性のヤーンを有するプレイン・ダブル・ニット・ステッチで編まれ、それによって、シャツ１３０を着用したときに、このカフ・バンドが、シャツ１３０を所望の位置に保つように助ける。
【００５０】
この実施形態には、シャツ１３０は、中央の形状が付けられた部分１４５を有している。ここで、シャツ１３０は、その上側及び下側の領域に最大の内径を有し、中央の形状が付けられた部分１４５に最小の内径を有している。
【００５１】
複数の第二部分１３４は、ベスト・エリア１４４及びシート・エリア１４６を有している。ベスト・エリア１４４及びシート・エリア１４６は、スペーサー・ニットで編まれ、シャツ１３０に、例えば、暖かさ、風除けおよび／または耐水性、及び詰め物などの属性を与えている。
【００５２】
次に、図２５及び２６には、本発明に基づく衣服の他の実施形態が、継ぎ目無しのジョギング・パンツとして示されている。パンツ１５０は、平編みプロセスを用いて編まれている。
【００５３】
パンツ１５０は、複数の第一部分１５２及び複数の第二部分１５４を有し、それらは、継ぎ目無しで一体的に互い結合され、ホール・ガーメントを形成している。ここでもまた、第一部分１５２は、第一のニット構造で編まれ、これに対して、第二第二部分１５４は、第二のニット構造で編まれ、パンツ１５０に継ぎ目無しで模様を付ける効果を与えている。
【００５４】
複数の第一部分１５２は、内側領域１５６及び一対のカフ・バンド１５８を有している。内側領域１５６は、プレイン・シングル・ジャージー・ニットで編まれている。内側領域１５６は、一またはそれ以上のポケット部分１６０を有することができる。それに加えて、内側領域１５６は、一またはそれ以上のプリーツ部分１６２を有することが可能であり、その部分が、更なる可動性及び適応性をパンツ１５０のこの領域に与えている。カフ・バンド１５８は、伸縮性のヤーンを有するプレイン・シングル・ジャージー・ニットで編まれ、それによって、パンツ１５０を着用したときに、このカフ・バンドがパンツ１５０を所望の位置に保つことを助けるようになっている。
【００５５】
複数の第二部分１５４は、外側領域１６４及びウエスト・バンド１６６を有している。外側領域１６４及びウエスト・バンド１６６は、スペーサー・ニットで編まれ、例えば、暖かさ、風および／または水からの保護、及び詰め物などの属性をパンツ１５０に与える。それに加えて、ウエスト・バンド１６６は、伸縮性のヤーンで編まれ、それによって、パンツ１５０を着用したときに、ウエスト・バンドがパンツ１５０を所望の位置に保つことを助けるようになっている。ウエスト・バンド１６６は、一またはそれ以上のプリーツ部１６８を有することが可能であり、そのプリーツ部が、更なる可動性及び適応性を、パンツ１５０のこの領域に与える。
【００５６】
従って、本発明の一部の実施形態では、二またはそれ以上の第二のニット構造が、継ぎ目無しで一体的に互いにつなげられる。他の実施形態では、一またはそれ以上の第二のニット構造と一またはそれ以上の第一のニット構造が、継ぎ目無しで一体的につなげられる。ニット構造の形状、サイズおよび／またはタイプを、衣服に所望の模様付けの効果を与えるように、選択および／または配置することが可能である。
【００５７】
認識すべきことは、ここは、第一及び第二のニット構造は、単に例として示されていることである。もちろん、他の第一および／または第二のニット構造が、ここに示されているように、本発明の範囲に属することが意図されている。
【００５８】
それに加えて、注意すべきことは、本発明の衣服は、ここでは、肌着（例えば、ブラジャー、パンティ、キャミソール、その他）の形態で、例として示されていることである。しかしながら、本発明により意図されているところによれば、衣服はいかなる衣服であっても良く、例えば（但し、これらに限定されないが）、外側の衣服、スポーツ・ウエア、肌着、またはその他の衣服であっても良い。
【００５９】
また、注意すべきことは、“第一の”、“第二の”、“第三の”、“アッパー”、“下側の”などの用語は、ここでは、様々な要素を限定するために使用されていることである。これらの限定語は、特別に言明されない限り、空間的、順次的、または階層的な順番を、限定された要素に与えるものではない。
【００６０】
本発明について、一またはそれ以上の実施形態の例を参照しながら説明を行ったが、当業者であれば、本発明の範囲から離れることなく、種々の変形が可能であること、及びその構成要素を等価要素と置き換えることが可能であることは、理解できるであろう。それに加えて、本発明の範囲から離れることなく、本発明の教えるところに対して、特定の状態または材料を使用する、多くの変形を行うことが可能である。従って、意図されているところによれば、本発明は、この発明を実施するために意図されたベスト・モードとして開示された特定の実施形態のみには限定されず、本発明は、添付されたクレームの範囲に入る全ての実施形態を含んでいる。
【図面の簡単な説明】
【００６１】
【図１】図１は、本発明に基づくキャミソールの第一の実施形態の正面図である。
【図２】図２は、図１のキャミソールの背面図である。
【図３】図３は、本発明に基づくブリーフ型パンティの正面図である。
【図４】図４は、図３パンティの背面図である。
【図５】図５は、本発明に基づくストリング型パンティの実施形態の正面図である。
【図６】図６は、図５のパンティの背面図である。
【図７】図７は、本発明に基づくブラジャーの実施形態の正面図である。
【図８】図８は、本発明に基づくキャミソールの第二の実施形態の正面図である。
【図９】図９は、図８のキャミソールの背面図である。
【図１０】図１０は、本発明に基づくショート型パンティの実施形態の正面図である。
【図１１】図１１は、本発明に基づくブリーフ型パンティの第二の実施形態の正面図である。
【図１２】図１２は、本発明に基づくブラジャーの第二の実施形態の正面図である。
【図１３】図１３は、本発明に基づくキャミソールの第三の実施形態の正面図である。
【図１４】図１４は、図１３のキャミソールの背面図である。
【図１５】図１５は、本発明に基づくストリング型パンティの実施形態の正面図である。
【図１６】図１６は、図１５のパンティの背面図である。
【図１７】図１７は、本発明に基づくブリーフ型パンティの第三の実施形態の正面図である。
【図１８】図１８は、本発明に基づくブラジャーの第三の実施形態の正面図である。
【図１９】図１９は、本発明に基づくブラジャーの第四の実施形態の正面図である。
【図２０】図２０は、第二のニットの部分と継ぎ目無しで一体的に結合された第一のニットの部分の実施形態を示すステッチ図である。
【図２１】図２１は、本発明に基づくシャツの第一の実施形態の正面図である。
【図２２】図２２は、図２１のシャツの背面図である。
【図２３】図２３は、本発明に基づくシャツの第二の実施形態の正面図である。
【図２４】図２４は、図２３のシャツの背面図である。
【図２５】図２５は、本発明に基づくパンツの実施形態の正面図である。
【図２６】図２６は、図２５のパンツの背面図である。
【図１】
2007509253.tif 000002
【図２】
2007509253.tif 000003
【図３】
2007509253.tif 000004
【図４】
2007509253.tif 000005
【図５】
2007509253.tif 000006
【図６】
2007509253.tif 000007
【図７】
2007509253.tif 000008
【図８】
2007509253.tif 000009
【図９】
2007509253.tif 000010
【図１０】
2007509253.tif 000011
【図１１】
2007509253.tif 000012
【図１２】
2007509253.tif 000013
【図１３】
2007509253.tif 000014
【図１４】
2007509253.tif 000015
【図１５】
2007509253.tif 000016
【図１６】
2007509253.tif 000017
【図１７】
2007509253.tif 000018
【図１８】
2007509253.tif 000019
【図１９】
2007509253.tif 000020
【図２０】
2007509253.tif 000021
【図２１】
2007509253.tif 000022
【図２２】
2007509253.tif 000023
【図２３】
2007509253.tif 000024
【図２４】
2007509253.tif 000025
【図２５】
2007509253.tif 000026
【図２６】
2007509253.tif 000027
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
第一部分と第二部分を有するボディを有する衣服であって、
第一部分は第二部分と一体的に編んで作られ、前記第一部分は第一のニット構造を有し、前記第二部分は第二のニット構造を有し、前記第二のニット構造は少なくとも一つの移行ループを有し；
前記ボディに結合された一またはそれ以上の衣服の要素を有する、
ことを特徴とする衣服。
【請求項２】
下記特徴を有する請求項１に記載の衣服： 
前記衣服は、肌着、外側の衣服、及びスポーツ・ウエアからなるグループから選択される衣服である。
【請求項３】
下記特徴を有する請求項１に記載の衣服： 
前記衣服は、輪編みの衣服である。
【請求項４】
下記特徴を有する請求項１に記載の衣服： 
前記衣服は、平編みの衣服である。
【請求項５】
下記特徴を有する請求項１に記載の衣服： 
前記第一のニット構造は、プレイン・ダブル・ニット、プレイン・シングル・ジャージー・ニット、及びそれらの任意の組み合わせからなるグループから選択されるニットを有している。
【請求項６】
衣服であって：
第一部分と第二部分を有するボディを有し、第一部分は第二部分と一体的に編んで作られ、前記第一部分は第一のニット構造を有し、前記第二部分は第二のニット構造を有し；
前記ボディに結合された一またはそれ以上の衣服の要素を有する、
衣服において、
前記第二のニット構造は、スペーサー・ニット、リブ・ニット、ポインテール・ニット、メッシュ・ニット、シアー・ニット、キルト・ニット、アイレット・ニットまたはオープン・ニット、及びそれらの任意の組み合わせからなるグループから選択されるニットを有していることを特徴とする衣服。
【請求項７】
下記特徴を有する請求項１に記載の衣服： 
前記第一部分及び第二部分は、当該衣服に継ぎ目無しで模様を付ける効果を与えるように、配置されている。
【請求項８】
下記特徴を有する請求項１に記載の衣服： 
前記一またはそれ以上の衣服の要素は、前記ボディと一体的に編んで作られている。
【請求項９】
下記特徴を有する請求項１に記載の衣服： 
前記一またはそれ以上の衣服の要素は、前記ボディに継ぎ目を介して取り付けられている。
【請求項１０】
下記特徴を有する請求項９に記載の衣服：
前記継ぎ目は、縫合された継ぎ目、融着された継ぎ目、接着された継ぎ目からなるグループから選択される。
【請求項１１】
下記特徴を有する請求項１に記載の衣服： 
前記ボディは長さ及び内径を有し、
前記内径は前記長さに沿って変化し、それによって、前記ボディが一またはそれ以上の形状が付けられた部分を有するように構成されている。
【請求項１２】
複数の第一部分と複数の第二部分とを有する衣服であって：
各第一部分は、第一のニット構造を有し、前記第一のニット構造は、プレイン・ダブル・ニット、プレイン・シングル・ジャージー・ニットからなるグループから選択され；
各第二部分は、第二のニット構造を有し、前記第二のニット構造は、スペーサー・ニット、リブ・ニット、ポインテール・ニット、メッシュ・ニット、シアー・ニット、キルト・ニット、及びアイレット・ニットまたはオープン・ニットからなるグループから選択され；
前記複数の第一部分と第二部分は、一体的に互いに編んで作られていることを特徴とする衣服。
【請求項１３】
下記特徴を有する請求項１２に記載の衣服：
前記衣服は、肌着、外側の衣服、及びスポーツ・ウエアからなるグループから選択される衣服である。
【請求項１４】
下記特徴を有する請求項１２に記載の衣服：
前記衣服は、輪編みの衣服または平編みの衣服である。
【請求項１５】
下記特徴を有する請求項１２に記載の衣服：
前記複数の第一部分と第二部分は、衣服に継ぎ目無しで模様を付ける効果を与えるように配置されている。
【請求項１６】
下記特徴を有する請求項１２に記載の衣服：
更に、一またはそれ以上の衣服の要素を有している。
【請求項１７】
下記特徴を有する請求項１６に記載の衣服：
前記一またはそれ以上の衣服の要素は、衣服と一体的に編んで作られている。
【請求項１８】
下記特徴を有する請求項１６に記載の衣服：
前記一またはそれ以上の衣服の要素は、継ぎ目を介して取り付けられている。
【請求項１９】
下記特徴を有する請求項１８に記載の衣服： 
前記継ぎ目は、縫合された継ぎ目、融着された継ぎ目、接着された継ぎ目、及びそれらの任意の組み合わせからなるグループから選択される。
【請求項２０】
下記特徴を有する請求項１２に記載の衣服： 
更に衣服の長さ及び衣服の内側寸法を有し、
前記衣服の内側寸法は、前記衣服の長さに沿って変化し、それによって、当該衣服が一またはそれ以上の形状が付けられた部分を有するように構成されている。
【国際調査報告】
2007509253.tif 000028